(57)【特許請求の範囲】
【請求項１】
遊技の進行を制御する遊技制御基板及び前記遊技制御基板によって駆動される駆動装置を内部に収容し、後面を構成する背面板に開口部が形成された箱状の筐体と、
前記背面板の外面を反射する反射位置に移動可能に設けられる反射体と、
前記背面板と対向する前記筐体の前面側に開閉可能に設けられた扉体と、
前記扉体が開状態となることに連動して、前記筐体の前面側から前記開口部を介して前記反射体が視認可能となる前記反射位置に、前記反射体を移動させる反射位置変更部材と、
を有することを特徴とする遊技機。
【請求項２】
前記遊技制御基板は、前記背面板の内面に配設されるものであって、
前記反射位置変更部材は、前記扉体が開状態となることで、前記遊技制御基板の配設位置に相当する前記背面板の外面を反射可能とする前記反射位置に前記反射体を移動させることを特徴とする請求項１記載の遊技機。
【請求項３】
前記反射位置変更部材は、
前記扉体の開閉動作に連動して可動する押圧部と、
一端部側に前記反射体を備え、他端部側を前記押圧部により押圧可能に設けられるとともに、任意の支点回りに回動可能に設けられる反射体移動部と、を有し、
前記扉体が開状態から閉状態に移行するときに、前記押圧部が前記扉体により押圧されるとともに、前記反射体移動部の前記他端部側が前記押圧部により押圧されることで、前記反射体移動部は、任意の支点回りに回動して前記反射体を前記背面板の外面が反射不可能な位置に移動させ、
前記扉体が閉状態から開状態に移行するときに、前記扉体から前記押圧部への押圧が解除されるとともに、前記押圧部から前記反射体移動部の前記他端部側への押圧が解除されることで、前記反射体移動部は、任意の支点回りに回動して前記反射体を前記反射位置に移動させることを特徴とする請求項１又は２に記載の遊技機。
【請求項４】
前記反射位置変更部材は、
前記扉体が開状態のときに、前記反射体を前記反射位置と異なる位置に移動可能な位置調整部を備えることを特徴とする請求項１乃至３のいずれか１項に記載の遊技機。
【発明の詳細な説明】
【技術分野】
【０００１】
本発明は、遊技球や遊技メダル等の遊技媒体を用いて遊技を行う遊技機に関する。
【背景技術】
【０００２】
従来から、箱状の遊技機の筐体内部に設けられた正規の制御基板に対して不正な制御基板等を接続することで、正規の制御基板を誤作動させる不正行為が問題視されている。このような不正行為を防止するために、制御基板等の裏面を簡易に確認できる構造を備えた遊技機が知られている。この遊技機は、制御基板が収容された基板ケースが、筐体に固定されている基板ケース取付部に対して、基板ケースの幅方向一方側端部を軸にして回転可能に構成されているものである。そして、基板ケースを回動させると、基板ケース取付部に設けられたミラー部が基板ケースの裏側を反射させることで、検査者は、ミラー部を介して基板ケースの制御基板の裏面側を視認することができる（特許文献１参照）。
【特許文献１】特開２００５−２６１６９６号公報
【発明の開示】
【発明が解決しようとする課題】
【０００３】
ところで、近年では、遊技機の筐体裏側（筐体の背面板の外面）に不正な基板等を配設するといった不正行為が発生している。このような場合は、遊技機が遊技ホール（島設備等）に設置されてしまうと、遊技機前面側から不正行為の発見が不可能になってしまう。なお、上記従来技術では、筐体内部に対する不正行為は発見できるものの、筐体裏側に対する不正行為は発見することができない。したがって、筐体裏側に対する不正行為には有効でないといった問題があった。
【０００４】
また、上記したような筐体裏側に対する不正行為を発見するには、遊技ホール（島設備等）に設置された遊技機を一旦取り外す必要があり、遊技機の点検時に手間が掛かるといった問題もあった。
【０００５】
そこで、本発明は、筐体裏側に対する不正行為がされたか否かを容易に発見することができる遊技機を提供することを目的とする。
【課題を解決するための手段】
【０００６】
請求項１に記載の発明は、遊技の進行を制御する遊技制御基板及び前記遊技制御基板によって駆動される駆動装置（所謂リールユニットやホッパー等）を内部に収容し、後面を構成する背面板に開口部が形成された箱状の筐体と、前記背面板の外面を反射する反射位置に移動可能に設けられる反射体と、前記背面板と対向する前記筐体の前面側に開閉可能に設けられた扉体と、前記扉体が開状態となることに連動して、前記筐体の前面側から前記開口部を介して前記反射体が視認可能となる前記反射位置に、前記反射体を移動させる反射位置変更部材と、を有することを特徴とする。
【０００７】
請求項１に記載の発明によれば、扉体の開放動作に連動して可動する反射位置変更部材が、筐体の裏面側（背面板の外面）を反射可能な位置（反射位置）に反射体を移動させる。これにより、反射体は、筐体の前面側から反射体を視認可能な位置に移動する。そして、遊技機の点検をする作業者等は、扉体を開放させ、遊技機の前面側から開口部を介して反射体を視認することで、遊技ホールに設置された状態では通常視認することができない筐体の背面側の状態を容易に知ることができる。この結果、不正行為者が、筐体の背面側に対して上述の不正行為を行っていた場合には、これらの不正行為を容易に発見することができる。
【０００８】
また、作業者は、扉体を開状態とすれば、開口部を介して筐体の背面側を確認することができるので、遊技機を点検する際に、遊技機を遊技ホールから取り外す作業を行う必要がなくなり、遊技機の点検を容易に行うことができる。
【０００９】
請求項２に記載の発明は、請求項１に記載の遊技機において、前記遊技制御基板は、前記背面板の内面に配設されるものであって、前記反射位置変更部材は、前記扉体が開状態となることで、前記遊技制御基板の配設位置に相当する前記背面板の外面を反射可能とする前記反射位置に前記反射体を移動させることを特徴とする。
【００１０】
筐体の背面側に対する不正行為として、遊技制御基板が背面板の内面に配設されている場合に、遊技制御基板の配設位置の裏側に相当する背面板の外面を破壊し、遊技制御基板に不正にアクセスする不正行為が考えられる。これに対して、扉体の開放時に、遊技制御基板の配設位置の裏側に相当する背面板の外面を反射させる位置に反射体を移動させることで、これらの不正行為（背面板の破壊による遊技制御基板へのアクセス）がされたか否かを容易に発見することができる。
【００１１】
請求項３の発明は、請求項１又は２に記載の遊技機において、前記反射位置変更部材は、前記扉体の開閉動作に連動して可動する押圧部と、一端部側に前記反射体を備え、他端部側を前記押圧部により押圧可能に設けられるとともに、任意の支点回りに回動可能に設けられる反射体移動部と、を有し、前記扉体が開状態から閉状態に移行するときに、前記押圧部が前記扉体により押圧されるとともに、前記反射体移動部の前記他端部側が前記押圧部により押圧されることで、前記反射体移動部は、任意の支点回りに回動して前記反射体を前記背面板の外面が反射不可能な位置に移動させ、前記扉体が閉状態から開状態に移行するときに、前記扉体から前記押圧部への押圧が解除されるとともに、前記押圧部から前記反射体移動部の前記他端部側への押圧が解除されることで、前記反射体移動部は、任意の支点回りに回動して前記反射体を前記反射位置に移動させることを特徴とする。
【００１２】
請求項３の発明によれば、反射位置変更部材として押圧部と反射体移動部を設け、扉体の開閉動作に連動してこれらを駆動させている。具体的には、扉体が開状態から閉状態に移行するときに、反射体移動部の他端部側が押圧部により押圧され、反射体移動部が任意の支点回りに回動し、反射体を反射不可能な位置に移動させる。なお、このときに反射体が開口部を塞ぐ位置に移動するようにしてもよい。
【００１３】
一方、扉体が閉状態から開状態に移行するときに、押圧部から反射体移動部の他端部側への押圧が解除されて、反射体移動部が任意の支点回りに回動し、反射体を反射位置に移動させる。これにより、電気的駆動源等を必要とすることなく、扉体を開動作させるだけで、背面板が反射可能な反射位置に反射体を移動させることができる。
【００１４】
請求項４に記載の発明は、請求項１乃至３のいずれか１項に記載の遊技機において、前記反射位置変更部材は、前記扉体が開状態のときに、前記反射体を前記反射位置と異なる位置に移動可能な位置調整部を備えることを特徴とする。
【００１５】
請求項４に記載の発明によれば、例えば、扉体が開放されている状態において、点検者が位置調整部により反射体の反射範囲を任意に調整することで、背面板外面を反射させるだけでなく、背面板と正規の遊技制御基板との隙間などに不正な基板等が設置されているか否かも容易に確認することができる。
【発明を実施するための最良の形態】
【００１６】
次に、本発明の第１実施形態に係る遊技機について、図面を参照して説明する。なお、本実施形態では本発明を遊技機の一例であるスロットマシンに適用した構成を説明する。
【００１７】
図１及び図２に示すように、スロットマシン１０は、箱状に形成された筐体１２と、筐体１２の前面側に形成されて開口部Ｍを覆うようにして設けられた前面扉１４と、遊技メダルを貸し出すためのメダル貸出装置１６と、を備えている。
【００１８】
前面扉１４は、遊技の進行に応じた演出が行われる上段の領域１４Ａと、遊技メダルが払い出される下段の領域１４Ｂと、遊技が行われる中段の領域１４Ｃの大きく３つの領域から構成されており、更に中段の領域１４Ｃは、遊技の状態を表示するための遊技状態表示部１８と、遊技を行うための操作部２０と、から構成されている。
【００１９】
上段の領域１４Ａには、中央に演出表示装置２２が設けられている。また、この演出表示装置２２の左右には、スピーカ２４がそれぞれ設けられている。また、演出表示装置２２及びスピーカ２４の上方には、各種のランプ類２６が設けられている。演出表示装置２２は、いわゆる液晶表示装置によって構成されており、遊技の進行状況に合わせて種々の図柄を表示して演出を行うことが可能となっている。
【００２０】
また、前面扉１４の中段に設けられた遊技状態表示部１８の中央には、大きな表示窓２８が設けられており、内部に設けられた３つの回胴３０Ａ、３０Ｂ、３０Ｃが回転する様子を外部から視認することができるようになっている。また、表示窓２８の左右及び下方には、遊技の状態を表示する各種の表示パネル類３２がそれぞれ設けられている。
【００２１】
また、前面扉１４の中段下方に設けられた操作部２０は手前に向かって突出した形状に形成されており、その上面には遊技メダルを投入するための遊技メダル投入口３４と、クレジットとして貯留されている遊技メダルを１枚だけ投入するための一枚投入ボタン３６と、貯留されている遊技メダルを３枚投入するための三枚投入ボタン３７などが設けられている。なお、遊技メダルの貯留とは、遊技メダルを実際に払い出す代わりにメダルの枚数を記憶しておくことをいう。また、操作部２０の前面には、遊技メダルの投入後に回胴３０Ａ、３０Ｂ、３０Ｃの回転を開始するためのスタートレバー３８と、３つの回胴３０Ａ、３０Ｂ、３０Ｃの回転をそれぞれ停止させるための回胴停止ボタン４０Ａ、４０Ｂ、４０Ｃなどが設けられている。また、操作部２０の上面には精算ボタン４２が設けられ、前面には返却ボタン４４が設けられている。ここで、精算ボタン４２とは、遊技機１０の内部に貯留されている遊技メダルを外部に排出する際に操作するボタンである。また、返却ボタン４４とは、投入した遊技メダルが遊技機１０の内部で詰まった場合に、メダルの詰まりを解消するために操作されるボタンである。
【００２２】
また、前面扉１４の下段の領域１４Ｂには、遊技メダルが排出される遊技メダル排出口４６と、排出された遊技メダルを受け止めるメダル受け皿４８などが設けられている。
【００２３】
図２及び図３に示すように、前面扉１４の裏面側上部には、サブ制御基板ユニット５０が設けられている。また、サブ制御基板ユニット５０の左右にはスピーカ２４がそれぞれ取り付けられている。サブ制御基板ユニット５０は、内部に後述するサブ制御基板５２が格納されており、図１に示した演出表示装置２２や、各種ランプ類２６、スピーカ２４などを用いて行われる各種演出の制御を司っている。
【００２４】
また、前面扉１４に設けられた表示窓２８の裏面側下方には、後述する扉基板５６が格納された扉基板ユニット５４が設けられている。この扉基板ユニット５４の下方には、投入された遊技メダルの通路となるメダルセレクタ５８や、遊技メダルを遊技メダル排出口４６に導くためのコインシュータ６０などが取り付けられている。メダルセレクタ５８は、遊技メダル投入口３４から投入された遊技メダルを主に寸法に基づいて選別し、規格寸法に適合した寸法の遊技メダルだけを受け入れる機能を有している。遊技者がスタートレバー３８を操作する前に遊技メダルを投入すると、遊技メダルはメダルセレクタ５８によって選別され、規格を満足しているものだけがホッパー６２内に投入され、規格を満足していないメダルは、コインシュータ６０を通って、遊技メダル排出口４６に返却されるようになっている。これに対して、スタートレバー３８が操作された後に遊技メダルが投入された場合は、メダルセレクタ５８内の通路が切り換わり、投入された遊技メダルは、コインシュータ６０を通って、遊技メダル排出口４６に返却される。また、メダルセレクタ５８の内部には、図示しないメダルセンサが設けられており、寸法規格を満たして受け入れられた遊技メダルはメダルセンサによって検出され、検出信号が後述の主制御基板６４（遊技制御基板）に出力されるようになっている。
【００２５】
また、筐体１２の内部の略中央には、３つの回胴３０Ａ、３０Ｂ、３０Ｃ（駆動装置）がそれぞれ設けられている。各回胴３０Ａ、３０Ｂ、３０Ｃの上方には、遊技全体の制御を司る後述の主制御基板６４が格納された主制御基板ユニット６６と、各回胴３０Ａ、３０Ｂ、３０Ｃを駆動するための後述の回胴基板６８が格納された回胴基板ユニット７０（図２及び図３では図示省略）と、が設けられている。また、３つの回胴３０Ａ、３０Ｂ、３０Ｃの下方にはリアスピーカ７２が設けられており、さらにその下方には投入された遊技メダルが集められるホッパー６２（駆動装置）と、遊技メダルを払い出すメダル払出装置７４（駆動装置）と、遊技機１０全体に電源を供給するための後述の電源基板７６が格納された電源ユニット７８などが設けられている。そして、電源ユニット７８の前面には、遊技機１０の電源を投入するための電源スイッチ８０が設けられている。また、メダル払出装置７４の払出口８２からコインシュータ６０の受入口８５に向けて払い出された遊技メダルは、コインシュータ６０を通って、遊技メダル排出口４６から排出されるようになっている。
【００２６】
ここで、本発明の要部について説明する。
【００２７】
図４及び図５に示すように、筐体１２の側面には、棒状の押圧部材８４（反射位置変更部材、押圧部、位置調整部）が取り付けられている。この押圧部材８４は、筐体１２に取り付けられた固定具８６によって、筐体１２の奥行き方向（図４及び図５中矢印Ｚ方向）に移動可能となるように支持されている。この押圧部材８４は、金属、樹脂などで構成されているが、これらの材質に限定されず、特に、軸方向に向かって所定の圧力が作用した場合でも縮まない程度の強度があればよい。
【００２８】
また、筐体１２の背面壁１２Ｂ（背面板）には、開口部８８が形成されている。この開口部８８は、縦方向の長さが主制御基板６４の縦方向の長さと略同一に形成されており、筐体前面側から後述するミラー部９６を視認可能とする視認窓として使用される。また、筐体１２の内部には、開口部８８を開放状態と閉鎖状態とに変化可能な直方体状の開閉部材９０（反射位置変更部材、反射体移動部）が設けられている。この開閉部材９０には軸部９２が貫通されており、開閉部材９０が軸部９２の軸心回りを回転できるように構成されている。なお、この軸部９２は、筐体１２の開口部８８の端部近傍に取り付けられている。
【００２９】
また、開口部８８の開口縁には、ストッパ８９が設けられている。開閉部材９０が回転して後述するミラー部９６が突出したときに、開閉部材９０がストッパ８９に接触して開閉部材９０のそれ以上の回転が阻止される。これにより、開閉部材９０が回転し過ぎてしまうことを防止でき、ひいてはミラー部９６が突出し過ぎることを防止できる。また、このストッパ８９を設ける位置を適宜調整することにより、筐体１２からのミラー部９６の突出量を容易に変更することができる。
【００３０】
開閉部材９０の背面側表面９０Ａには、コイルばね９４の一端が接続されている。このコイルばね９４の他端は、筐体１２の背面壁１２Ｂに接続されている。また、開閉部材９０の前方側表面９０Ｂには、上述した押圧部材８４の軸方向一方側端部８４Ｘが接触している。このため、開閉部材９０には、コイルばね９４からの弾性力と、押圧部材８４からの押圧力が作用しており、両者の力関係によって、開閉部材９０の回転位置が決定される。具体的には、押圧部材８４からの押圧力がコイルばね９４の弾性力よりも大きい場合には、開閉部材９０の幅方向一方側端部９０Ｘが筐体１２の背面壁１２Ｂ側に押される。このとき、コイルばね９４は、弾性力に抗して縮められた状態になる（図４参照）。この状態では、開閉部材９０は、筐体１２の内部に完全に収容されており、かつ、開口部８８を閉塞した状態となっている。一方、コイルばね９４の弾性力が押圧部材８４からの押圧力がよりも大きい場合には、押圧部材８４が開閉部材９０により押されて筐体１２の前面側に移動する。このとき、開閉部材９０の幅方向他方側端部９０Ｙが開口部８８を通って筐体１２の外部に突出する（図５参照）。
【００３１】
ここで、開閉部材９０の前方側表面９０Ｂの一部には、ミラー部９６（反射体）が取り付けられている。このミラー部９６の一部は、開閉部材９０が筐体１２の外部に突出したときに、開閉部材９０の幅方向他方側端部９０Ｙと共に筐体１２の外側に突出するように構成されている。そして、開閉部材９０が筐体１２の外部に突出した状態で筐体１２の背面壁１２Ｂの外面の一部をミラー部９６に反射させることで、ホール関係者などが筐体１２の前面側から開口部８８を介してミラー部９６を視認したときに、筐体１２の背面壁１２Ｂの外面を容易に確認することができるように構成されている。
【００３２】
具体的には、筐体１２の背面壁１２Ｂ上であって開口部８８の近傍には、主制御基板６４が配置されている。そして、開閉部材９０が筐体１２の外部に突出した状態で筐体１２の背面壁１２Ｂの外面の一部をミラー部９６に反射させることで、ホール関係者が開口部８８を介してミラー部９６を視認したときに、主制御基板６４と対向する背面壁１２Ｂの外面を確認することができる。
【００３３】
特に、開閉部材９０の回転動作と前面扉１４の開閉動作とが連動するように構成されている。すなわち、前面扉１４の開状態又は閉状態に応じて、開閉部材９０及びミラー部９６が筐体１２から突出又は筐体１２に収容されるが、この動作の詳細については、後述する。
【００３４】
次に、遊技機１０の電気的構成について説明する。
【００３５】
図６に示すように、遊技機１０には、主制御基板６４を中心として、サブ制御基板５２、扉基板５６、回胴基板６８、電源基板７６等がデータをやりとり可能に接続されて構成されている。
【００３６】
主制御基板６４は、遊技機１０で行われる遊技全体の進行や演出を司る基板である。この主制御基板６４には、ＣＰＵ、ＲＯＭ、ＲＡＭなどがバスによって互いにデータをやりとり可能に接続されて搭載されている。主制御基板６４は、前面扉１４に搭載された扉基板５６から、スタートレバー３８が操作されたことを示す信号を受け取って、遊技制御処理を実行しながら、サブ制御基板５２、扉基板５６、回胴基板６８などに向かって制御コマンド（あるいは制御信号）を出力することにより、各基板の動作を制御している。
【００３７】
また、サブ制御基板５２は、主制御基板６４と同様に、ＣＰＵ、ＲＯＭ、ＲＡＭなどがバスによって互いにデータをやりとり可能に接続されて搭載されている。また、サブ制御基板５２には、各種ランプ類２６、各種スピーカ２４、７２、演出表示装置２２、回胴バックライト１０２、などが接続されている。ここで、回胴バックライト１０２とは、各回胴３０Ａ、３０Ｂ、３０Ｃの内部に設けられ、回胴３０Ａ、３０Ｂ、３０Ｃの表面に描かれた図柄を裏側から照らすライトである。サブ制御基板５２は、主制御基板６４から受け取った制御コマンドを解析して、各種ランプ類２６、各種スピーカ２４、７２、演出表示装置２２、回胴バックライト１０２、にそれぞれ駆動信号を出力することにより、これらを用いた各種演出を行っている。
【００３８】
また、扉基板５６には、メダルセレクタ５８、貯留されている遊技メダルを投入するための各種投入ボタン３６、３７、回胴３０Ａ、３０Ｂ、３０Ｃの回転を開始するためのスタートレバー３８、回転している回胴３０Ａ、３０Ｂ、３０Ｃを停止するための回胴停止ボタン４０Ａ、４０Ｂ、４０Ｃ、貯留されている遊技メダルや投入された遊技メダルを払い出して遊技を終了するための精算ボタン４２、遊技の状態を表示するため各種の表示パネル３２などが接続されている。まて、扉基板５６は、主制御基板６４と、データをやりとり可能に接続されている。このため、前面扉１４に設けられたスタートレバー３８、回胴停止ボタン４０Ａ、４０Ｂ、４０Ｃ、各種の投入ボタン３６、３７、精算ボタン４２などを操作すると、扉基板５６を介して、その信号を主制御基板６４に供給することが可能となっている。また、メダルセレクタ５８に設けられたメダルセンサの出力も、扉基板５６を介して主制御基板６４に供給されている。
【００３９】
回胴基板６８には、３つの回胴３０Ａ、３０Ｂ、３０Ｃをそれぞれ回転させるための回胴モータ１０４Ａ、１０４Ｂ、１０４Ｃと、それぞれの回胴３０Ａ、３０Ｂ、３０Ｃの回転位置を検出するための回胴センサ１０６Ａ、１０６Ｂ、１０６Ｃが設けられている。回胴基板６８は、回胴センサ１０６Ａ、１０６Ｂ、１０６Ｃによって、各回胴３０Ａ、３０Ｂ、３０Ｃの回転位置を検出しながら、回胴モータ１０４Ａ、１０４Ｂ、１０４Ｃを駆動することにより、それぞれの回胴３０Ａ、３０Ｂ、３０Ｃを、所望の回転位置で停止させることが可能となっている。なお、本実施形態の遊技機１０では、回胴モータ１０４Ａ、１０４Ｂ、１０４Ｃには、いわゆるステッピングモータが使用されている。
【００４０】
また、メダル払出装置７４は、中継基板７５を介して、主制御基板６４に接続されており、主制御基板６４からの制御信号に基づいて、所定枚数の遊技メダルを払い出す動作を行う。メダル払出装置７４には、遊技メダルが払い出されたことを検知するために、図示しない払出センサが設けられている。遊技メダルが払い出されると、払出センサで検知して、信号が主制御基板６４に出力される。
【００４１】
また、これら各種制御基板及び基板で消費されたる電力は、電源基板７６から供給されている。電源基板７６には、１００Ｖの交流電圧が供給されており、この電力を規定電圧に変換した後、それぞれの制御基板及び基板に供給している。図６では、電源基板７６から電力が供給される様子を破線の矢印で表している。
【００４２】
次に、第１実施形態に係るスロットマシンの作用について説明する。
【００４３】
図４に示すように、前面扉１４が閉じられて筐体１２の開口を閉塞した状態では、押圧部材８４の軸方向他方側端部８４Ｙには前面扉１４から圧力が作用する。このとき、押圧部材８４は、筐体１２の奥側（背面側）に移動していき、開閉部材９０の幅方向一方側端部９０Ｘ近傍を背面壁１２Ｂ側に押圧する。開閉部材９０の幅方向一方側端部９０Ｘ近傍が背面壁１２Ｂ側に押圧されると、押圧部材８４からの押圧力がコイルばね９４の弾性力よりも大きくなるため、コイルばね９４が縮み、開閉部材９０が回転すると共にその幅方向一方側端部９０Ｘが背面壁１２Ｂ側に移動する。これにより、開閉部材９０全体が筐体１２の内部に収容されるとともに、筐体１２の開口部８８が開閉部材９０により閉塞される。
【００４４】
一方、図５に示すように、前面扉１４が開けられて筐体１２の開口を開放した状態では、前面扉１４からの押圧部材８４への押圧力が解除される。このため、押圧部材８４から開閉部材９０の幅方向一方側端部９０Ｘ近傍に作用する押圧力よりもコイルばね９４の弾性力が大きくなるため、コイルばね９４が伸びて開閉部材９０の幅方向一方側端部９０Ｘが筐体１２の前方側に押し出されると共に、開閉部材９０の幅方向他方側端部９０Ｙが開口部８８を通って筐体１２の外部に突出する。このとき、開閉部材９０に取り付けられたミラー部９６には、主制御基板６４の裏側に相当する筐体１２の背面壁１２Ｂの外面が反射される。
【００４５】
以上のように、開閉部材９０の回転動作と前面扉１４の開閉動作とが連動するように構成されているため、前面扉１４を開けると、図５に示すように、開閉部材９０が回転してその幅方向他方側端部９０Ｙが筐体１２の外部に突出する。そして、この状態では、筐体１２の主制御基板６４が配置された近傍の背面壁１２Ｂの外面がミラー部９６で反射され、筐体１２の前面側（前面扉１４側）からミラー部９６を介して筐体１２の主制御基板６４が配置された近傍の背面壁１２Ｂの外面の様子を容易に確認することができる。この結果、筐体１２の主制御基板６４が配置された近傍の背面壁１２Ｂを破壊されていたり、不正な基板が配設されるなどの不正行為があれば、早期に発見することができる。
【００４６】
一方、図４に示すように、前面扉１４を閉めると、開閉部材９０が逆方向に回転してその幅方向他方側端部９０Ｙが筐体１２の内部に収容される。開閉部材９０全体が筐体１２の内部に完全に収容されると、開閉部材９０により開口部８８が閉塞される。これにより、遊技機の運搬時等に、開閉部材９０が突出した状態となって運搬作業の邪魔になることを防止することができる。また、この状態では、開閉部材９０が存在するため、開口部８８を通して筐体１２の内部に容易にアクセスすることを防止でき、ひいては開口部８８からの不正行為が行われることを防止できる。
【００４７】
また、上記のような開閉部材９０及びミラー部９６を設け、これを周知させることにより、不正行為の発生を未然に防止することができる。
【００４８】
次に、本発明の第２実施形態に係る遊技機（スロットマシン）について、図面を参照して説明する。なお、第１実施形態のスロットマシンと重複する構成については同符号を付し、その説明を適宜省略する。
【００４９】
図７及び図８に示すように、第２実施形態のスロットマシン２００は、開閉部材２０２（反射位置変更部材、反射体移動部）の形状に特徴があり、第１実施形態のスロットマシン１０の開閉部材９０の形状とは大きく異なるものである。
【００５０】
開閉部材２０２は、押圧部材８４及びコイルばね９４から力が作用する圧力作用部２０４を備えている。圧力作用部２０４の幅方向他方側端部２０４Ｙには、軸部９２が取り付けられている。なお、この軸部９２は、筐体１２の幅方向一方側に設けられている。また、圧力作用部２０４の前方側表面２０４Ｂの内側には、押圧部材８４の軸方向一方側端部８４Ｘが接触し、押圧部材８４から押圧力が作用する。また、圧力作用部２０４の背面側表面２０４Ａには、コイルばね９４の端部が取り付けられ、コイルばね９４から弾性力が作用する。ここで、圧力作用部２０４の幅方向他方側端部２０４Ｙは、筐体１２の背面側に位置し、圧力作用部２０４の幅方向一方側端部２０４Ｘは、幅方向他方側端部２０４Ｙよりも筐体前方側に位置している。換言すれば、圧力作用部２０４は、筐体１２の幅方向中央側から幅方向端部側に向かって筐体１２の前方側に傾斜するように配置されている。
【００５１】
また、圧力作用部２０４には、湾曲部２０６が一体形成されている。この湾曲部２０６の幅方向一方側端部２０６Ｘは、圧力作用部２０４の幅方向他方側端部２０４Ｙに接続されており、湾曲部２０６の幅方向他方側端部２０６Ｙは、幅方向一方側端部２０６Ｘから筐体前方側に向かって湾曲状に大きく張り出るように構成されている。
【００５２】
また、湾曲部２０６の幅方向他方側端部２０６Ｙには、押出部２０８の筐体奥行き方向一方側端部２０８Ｘが一体形成されている。この押出部２０８は、筐体１２の開口部８８を通るようにして、湾曲部２０６の幅方向他方側端部２０６Ｙから筐体１２の奥行き方向（図７及び図８中矢印Ｚ方向）に沿って延びたものである。湾曲部２０６の湾曲率と押出部２０８の軸方向長さにより、後述のミラー部９６の筐体１２から押し出される押出量が決定される。
【００５３】
押出部２０８の筐体奥行き方向他方側端部２０８Ｙには、ミラー取付部２１０が一体形成されている。このミラー取付部２１０は、平板状に形成されており、内側平面には、筐体１２から突出したときに筐体１２の背面壁１２Ｂの外面を反射させるミラー部９６が取り付けられている。また、ミラー部９６は、前面扉１４が閉じられたときに、開口部８８を筐体１２の外側から閉塞できるような大きさに設定されている。具体的には、ミラー取付部２１０の内側平面の面積は、開口部８８の開口面積よりも大きくなるように設定されている。また、筐体１２の開口部８８の縁部近傍の背面壁１２Ｂの外面には、ミラー部９６と接触可能なゴム２１２が取り付けられている。これにより、ミラー取付部２１０が開口部８８を閉塞したときに、ゴム２１２がミラー部９６と接触し、ミラー取付部２１０が筐体１２の開口部８８を閉塞する際の衝撃で、ミラー部９６が破損しないように設計されている。
【００５４】
次に、第２実施形態のスロットマシン２００の作用について説明する。
【００５５】
図７に示すように、前面扉１４が閉じられた状態では、押圧部材８４には前面扉１４からの押圧力が作用し、圧力作用部２０４の幅方向一方側端部２０４Ｘ近傍が筐体１２の背面壁１２Ｂ側に押圧される。圧力作用部２０４の背面側表面２０４Ａにはコイルばね９４からの弾性力が押圧部材８４からの押圧力に対抗する形で作用しているが、前面扉１４が閉じられた状態では、押圧部材８４からの押圧力がコイルばね９４からの弾性力よりも大きくなるため、湾曲部２０６及び押出部２０８が筐体１２の内部に収容され、ミラー取付部２１０及びミラー部９６が筐体１２の背面壁１２Ｂ側に位置して開口部８８が閉塞される。
【００５６】
一方、図８に示すように、前面扉１４が開けられると、前面扉１４から押圧部材８４に作用していた力が解除されるため、コイルばね９４から圧力作用部２０４の背面側表面２０４Ａに作用する弾性力が押圧部材８４から圧力作用部２０４の前方側表面２０４Ｂに作用する押圧力よりも大きくなるため、圧力作用部２０４の幅方向一方側端部２０４Ｘが前方側に押される。
【００５７】
圧力作用部２０４の幅方向一方側端部２０４Ｘが前方側に押されると、湾曲部２０６及び押出部２０８が軸部９２を中心に回転し、ミラー取付部２１０及びミラー部９６が筐体１２の外側に突出する。特に、本実施形態では、ミラー取付部２１０及びミラー部９６は、湾曲部２０６と押出部２０８により筐体１２の外側に大きく突出させられることになる。ここで、ミラー取付部２１０及びミラー部９６の筐体１２からの突出量は、湾曲部２０６の湾曲率、押出部２０８の軸方向長さにより決定され、湾曲部２０６の湾曲率が大きくなり、押出部２０８の軸方向長さが長くなれば、ミラー取付部２１０及びミラー部９６は、筐体１２から大きく突出されるようになる。逆に、湾曲部２０６の湾曲率が小さくなり、押出部２０８の軸方向長さが短くなれば、ミラー取付部２１０及びミラー部９６の筐体１２からの突出量は小さくなる。このように、湾曲部２０６の湾曲率と押出部２０８の軸方向長さを適宜調整することにより、ミラー取付部２１０及びミラー部９６の筐体１２からの突出量を容易に変更させることができる。そして、ミラー取付部２１０及びミラー部９６の筐体１２からの突出量に比例して、開口部８８を介して背面壁１２Ｂの外面を視認できる視認範囲（反射範囲）を拡大することができる。
【００５８】
以上のように、本実施形態によれば、ミラー取付部２１０及びミラー部９６を筐体１２から大きく突出させることができるため、筐体１２の開口部８８から比較的遠い位置にある背面壁１２Ｂの外面をミラー部９６に反射させることができる。そして、筐体１２の前方からミラー部９６を視認することにより、筐体１２の背面壁１２Ｂの外面の様子を確認することができる。これにより、主制御基板６４が開口部８８から離れた部位に配置されている構成でも、主制御基板６４の近傍にある筐体１２の背面壁１２Ｂの外面をミラー部９６に反射させてその様子を容易に確認することができる。
【００５９】
また、ミラー取付部２１０は、前面扉１４の開閉状態にかかわらず、筐体１２の背面壁１２Ｂの外面側に位置しているため、ミラー取付部２１０及びこのミラー取付部２１０に取り付けるミラー部９６の大きさを、筐体１２の内部スペースに関係なく、可能な限り大きくすることができる。このように、ミラー部９６の大きさを大きくすることにより、筐体１２の背面壁１２Ｂの外面側の多くの領域をミラー部９６に反射させることができ、筐体１２の背面壁１２Ｂの外面を確認できる面積が広くなる。この結果、筐体１２の背面壁１２Ｂの外面に不正行為があるか否かを、効率良く、かつ確実に調べることができる。
【００６０】
なお、上述した第１実施形態および第２実施形態は、前面扉１４が開放され、押圧部材８４の先端部（筐体１２の前面側）と前面扉１４が離れた状態において、点検者が手で押圧部材８４を押圧することで、ミラー部９６の位置を任意に調整することができ、筐体１２の背面壁１２Ｂの外面の反射範囲を変更することができる。つまり、前面扉１４が離れた状態における押圧部材８４は、前面扉１４側に突出しており、これを点検者が筐体１２の内部側に押圧することで、開閉部材９０およびミラー部９６を移動させることができる。特に、第１実施形態においては、点検者が手で押圧部材８４を押圧することで、筐体１２の背面壁１２Ｂの外面だけでなく、主制御基板６４と背面壁１２Ｂの内面の隙間も確認することができ、この隙間に何らかの不正行為がされているか否かを確認することができる。
【００６１】
次に、本発明のスロットマシンの変形例について説明する。
【００６２】
（第１変形例）
図９に示すように、第１変形例となるスロットマシンは、筐体１２の背面壁１２Ｂの一部に開閉可能となる開閉壁２５０を設け、その開閉壁２５０の内側面にミラー部９６が取り付けられるものである。この構成では、開閉壁２５０が開いたときに、筐体１２の背面壁１２Ｂの外面をミラー部９６で反射させ、筐体１２の背面壁１２Ｂの外面の様子を確認することができる。なお、開閉壁２５０は、前面扉１４の開閉動作と連動するように構成してもよいし、前面扉１４の開閉動作と連動せず、手動により開閉操作するように構成してもよい。
【００６３】
第１変形例によれば、開閉壁２５０を開閉操作するだけで、筐体１２の背面壁１２Ｂの外面をミラー部９６に反射させて確認することができる。特に、開閉壁２５０が筐体１２の内側に配置されることはないので、筐体１２内部のスペースを犠牲にすることがない。この結果、筐体１２内部のスペースを他の用途に有効に利用できる。
【００６４】
（第２変形例）
図１０及び図１１に示すように、第２変形例となるスロットマシンは、開閉部材９０のミラー部９６の近傍に複数の照明ランプ２６０が取り付けられている。また、筐体１２には、開閉部材９０が回転しミラー部９６が筐体１２から突出したことを検知するセンサ２６２（回転角度を検知する角度センサや光センサなど）が取り付けられている。このセンサ２６２及び照明ランプ２６０は、サブ制御基板５２に電気的に接続されている。
【００６５】
第２変形例によれば、開閉部材９０が回転してミラー部９６が筐体１２から突出すると、センサ２６２からの検知信号がサブ制御基板５２に送信される。サブ制御基板５２に検知信号が送信されると、照明ランプ２６０がサブ制御基板５２により発光制御される。これにより、ミラー部９６近傍から筐体１２の背面壁１２Ｂの外面に向かって光を照射することができる。この結果、筐体１２の背面壁１２Ｂの外面が薄暗い環境でも、筐体１２の背面壁１２Ｂの外面の様子をミラー部９６に反射させて容易に確認することができる。
【００６６】
（第３変形例）
図１２に示すように、第３変形例となるスロットマシンは、筐体１２の外側から開口部８８を通って開閉部材９０が押されたときに、開閉部材９０が筐体１２の内側に移動することを防止するストッパ２７０を備えている。
【００６７】
第３変形例によれば、筐体１２の外側から開口部８８を介して開閉部材９０が所定以上の圧力で押されると、開閉部材９０がストッパ２７０に接触し、開閉部材９０の筐体１２内側への逆回転が防止される。これにより、不正行為者が開閉部材９０を押圧することにより筐体１２の外側から開口部８８を通して筐体１２内部にアプローチすることができなくなり、不正行為を未然に防止することができる。
【００６８】
（第４変形例）
図１３及び図１４に示すように、第４変形例となるスロットマシンは、開閉部材９０の外側表面に圧力センサ２８０を備えている。これにより、開閉部材９０の外側表面を押圧されると、圧力センサ２８０により検知され、サブ制御基板５２に検知信号が送信される。また、筐体１２には、警告音を音声出力する非常用スピーカ２８２が設けられている。この非常用スピーカ２８２の音声出力は、サブ制御基板５２により制御される。なお、圧力センサ２８０及び非常用スピーカ２８２は、サブ制御基板５２に電気的に接続されている。
【００６９】
第４変形例によれば、不正行為者が開閉部材９０の外側表面を押圧すると、圧力センサ２８０からサブ制御基板５２に検知信号が送信される。サブ制御基板５２に検知信号が送信されると、非常用スピーカ２８２がサブ制御基板５２により音声制御され、非常用スピーカ２８２から警告音が出力される。これにより、不正行為が行われていることをホール関係者などに知らせることができ、不正行為を早期に発見することができるとともに、不正行為を未然に防止することができる。
【００７０】
なお、上記各実施形態では、前面扉１４の開閉動作に連動する形で、ミラー部９６が筐体１２から突出し、あるいは筐体１２に収容される構成を例示したが、この構成に限られるものではなく、例えば、前面扉１４の開閉動作とは無関係に手動によりミラー部を突出あるいは収容するようにしてもよい。また、筐体１２にスイッチやセンサ（接触センサや光センサ）を別途設け、これらのスイッチやセンサが作動したときに、ミラー部９６がモータやソレノイド等によって自動的に突出するようにサブ制御基板５２で制御してもよい。
【００７１】
また、上記各実施形態では、筐体背面壁１２Ｂの開口部８８を主制御基板ユニット６６の側方に設ける構成としたが、これに限定されるものではなく、筐体１２背面側の全体または一部が視認可能となるようにミラー部９６が設けられれば、どのような箇所に開口部が形成されていてもよい。例えば、主制御基板ユニット６６の上方や下方等であってもよい。
【００７２】
また、上述した各実施形態は、ミラー部９６が背面壁１２Ｂから筐体１２外側に向かって突出する構成であるため、遊技ホールの島設備の形状によっては、ミラー部９６を突出させることができない虞がある。これらの場合を回避するために、上述した各実施形態の遊技機において、筐体１２の外側に向かって常時突出する突出部（図示省略）を筐体１２の背面壁１２Ｂの四隅等にあらかじめ配設しておくことが望ましい。なお、この突出部の突出範囲は、ミラー部９６が突出可能なスペースを形成する突出範囲であればよい。これにより、遊技機が遊技ホールに設置される際に、ミラー部９６が突出可能なスペースを遊技機裏側に確実に設けることができる。
【００７３】
また、上記各実施形態では、ミラー部９６がスロットマシンに適用される構成を示したが、この構成に限られるものではなく、例えば、箱状の筐体を有した遊技機であれば、本願発明の構成を用いることで、上記各実施形態と同等の効果を得ることができる。
【図面の簡単な説明】
【００７４】
【図１】本発明の第１実施形態に係る遊技機の正面図である。
【図２】本発明の第１実施形態に係る遊技機の前面扉を開いて遊技機の内部の構成を示した斜視図である。
【図３】本発明の第１実施形態に係る遊技機の内部の構成を示した正面図である。
【図４】本発明の第１実施形態に係る遊技機の前面扉が閉じている状態での反射体を示した構成図である。
【図５】本発明の第１実施形態に係る遊技機の前面扉が開いている状態での反射体を示した構成図である。
【図６】本発明の第１実施形態に係る遊技機の電気的構成を示したブロック図である。
【図７】本発明の第２実施形態に係る遊技機の前面扉が閉じている状態での反射体を示した構成図である。
【図８】本発明の第２実施形態に係る遊技機の前面扉が開いている状態での反射体を示した構成図である。
【図９】本発明の遊技機の第１変形例の要部を示した構成図である。
【図１０】本発明の遊技機の第２変形例の要部を示した構成図である。
【図１１】本発明の遊技機の第２変形例の電気的構成の要部を示したブロック図である。
【図１２】本発明の遊技機の第３変形例の要部を示した構成図である。
【図１３】本発明の遊技機の第４変形例の要部を示した構成図である。
【図１４】本発明の遊技機の第４変形例の電気的構成の要部を示したブロック図である。
【符号の説明】
【００７５】
１０      スロットマシン（遊技機）
１２      筐体
１２Ｂ    背面壁（背面板）
１４      前面扉（扉体）
６４      主制御基板（遊技制御基板）
８４      押圧部材（反射位置変更部材、押圧部、位置調整部）
８８      開口部
９０      開閉部材（反射位置変更部材、反射体移動部）
９６      ミラー部（反射体）
２００    スロットマシン（遊技機）
２０２    開閉部材（反射位置変更部材、反射体移動部）
【図１】
0004840698.tif 000002
【図２】
0004840698.tif 000003
【図３】
0004840698.tif 000004
【図４】
0004840698.tif 000005
【図５】
0004840698.tif 000006
【図６】
0004840698.tif 000007
【図７】
0004840698.tif 000008
【図８】
0004840698.tif 000009
【図９】
0004840698.tif 000010
【図１０】
0004840698.tif 000011
【図１１】
0004840698.tif 000012
【図１２】
0004840698.tif 000013
【図１３】
0004840698.tif 000014
【図１４】
0004840698.tif 000015